(57)【要約】【課題】化粧シートが遊技基盤から適切に剥がせるようにする。【解決手段】遊技盤１はベニヤなどの合板製の遊技基盤２に化粧シート３をアクリル粘着材４で結合した構造であり、化粧シート３は透明なポリオレフィン合成樹脂からなる表面パネル５の後面に化粧層６を印刷した構造であるので、遊技盤１から化粧シート３を除去する場合、遊技盤１に熱処理７を行うと、アクリル粘着材４の遊技基盤２に対する接着力が低下し、ポリオレフィン合成樹脂からなる表面パネル５の隅部が遊技基盤２から離れる方向の反りを生じ、化粧シート３の隅部およびアクリル粘着材４の隅部が一緒になって遊技基盤２から離れるため、遊技基盤２から離れた化粧シート３の隅部およびアクリル粘着材４の隅部が遊技基盤２に対し矢印Ｘ１に示す方向に人または機械で引っ張られることによって、化粧シート３およびアクリル粘着材４が遊技基盤２から適切に剥れる。【選択図】図１
2008212515.tif 000002
【特許請求の範囲】
【請求項１】
化粧シートが透明なポリオレフィン合成樹脂からなる表面パネルの後面に化粧層を印刷した構成であり、化粧シートの化粧層の後面が合板製の遊技基盤の前面にアクリル粘着材で結合されたか、または、化粧シートが透明なポリオレフィン合成樹脂からなる表面パネルの後面に化粧層を印刷しかつ化粧層の後面に転着紙を水溶性エマルジョンタイプの接着剤で結合した構成であり、化粧シートの転着紙の後面が合板製の遊技基盤の前面にアクリル粘着材で結合されたことを特徴とするパチンコ遊技機の遊技盤。
【発明の詳細な説明】
【技術分野】
【０００１】
本発明は、化粧シートが遊技基盤から適切に剥がせるパチンコ遊技機の遊技盤に関する。
【背景技術】
【０００２】
遊技店から使用済遊技盤を回収して資源として再利用することは知られている。ガイドレール、入賞部品、装飾部品、球誘導構造体、遊技釘などの遊技部品が、使用済遊技盤として遊技店から回収された遊技盤から取り外される。図４に示すように、遊技盤１は、合板製の遊技基盤２に化粧シート３の転着紙１１が水溶性エマルジョンタイプの接着剤１３で結合された構造である。化粧シート３は、透明な熱可塑性合成樹脂からなる表面パネル１４の後面に化粧層６を印刷し、化粧層６の後面に転着紙１１を水溶性エマルジョンタイプの接着剤１２で結合した構造である。よって、接着剤１２と接着剤１３とが同質の接着剤であることから、接着剤１３の遊技基盤２と化粧シート３とを結合する強度と、接着剤１２の化粧層６と転着紙１１とを結合する強度が同じであり、化粧シート３を遊技基盤２から剥がす場合、転着紙１１が遊技基盤２に残るというように、化粧シート３が遊技基盤２から適切に剥がせないという欠点がある。
【特許文献１】特開平９−１７３５３８号公報
【特許文献２】特開平１０−９９４８８号公報
【発明の開示】
【発明が解決しようとする課題】
【０００３】
発明が解決しようとする問題点は、化粧シートを遊技基盤から適切に剥がせないという点である。
【課題を解決するための手段】
【０００４】
本発明に係るパチンコ遊技機の遊技盤は、化粧シートが透明なポリオレフィン合成樹脂からなる表面パネルの後面に化粧層を印刷した構成であり、化粧シートの化粧層の後面が合板製の遊技基盤の前面にアクリル粘着材で結合されたか、または、化粧シートが透明なポリオレフィン合成樹脂からなる表面パネルの後面に化粧層を印刷しかつ化粧層の後面に転着紙を水溶性エマルジョンタイプの接着剤で結合した構成であり、化粧シートの転着紙の後面が合板製の遊技基盤の前面にアクリル粘着材で結合されたことを最も主要な特徴とする。
【発明の効果】
【０００５】
本発明に係るパチンコ遊技機の遊技盤は、ポリオレフィン合成樹脂からなる表面パネルが０℃よりも低い温度および６０℃よりも高い温度で反りを生じるという性質を利用し、遊技盤から化粧シートを除去する場合、遊技盤に冷却処理または加熱処理を行うことによって、化粧シートが遊技基盤から剥がれる方向の反りを発生して遊技基盤から適切に剥がれるという利点がある。
【発明を実施するための最良の形態】
【０００６】
図１は、発明を実施するための最良の形態である。図１のａ図を参照し、遊技盤１の構造について説明する。遊技盤１は、ベニヤなどの合板製の遊技基盤２に化粧シート３をアクリル粘着材４で結合した構造である。化粧シート３は、透明なポリオレフィン合成樹脂からなる表面パネル５の後面に化粧層６を印刷した構造である。化粧層６は、遊技盤１の盤面を構成する図柄などの形象を構成する。そして、化粧層６の後面が遊技基盤２の前面にアクリル粘着材４で結合されたことによって、化粧シート３が遊技基盤２にアクリル粘着材４で結合した形態になる。
【０００７】
アクリル粘着材４が遊技基盤２の前面または化粧シート３の裏面に層として設けられて図外の剥離紙で乾燥しないように覆い隠された形態とし、剥離紙が剥がされた後、遊技基盤２と化粧シート３とをアクリル粘着材４で結合させてもよい。
【０００８】
アクリル粘着材４は、ゴムからなる粘着剤やアクリル酸メチルなどの共重合体が有機溶媒に溶解された構造であって、０℃乃至６０℃の温度範囲では遊技基盤２に対する接着力を維持し、０℃よりも低い温度および６０℃よりも高い温度で遊技基盤２に対する接着力が低下する性質を有する。ポリオレフィン合成樹脂からなる表面パネル５は、０℃乃至６０℃の温度で反りを発生しないが、０℃よりも低い温度および６０℃よりも高い温度で遊技基盤２から離れる方向の反りを生じる性質を有する。
【０００９】
図１のａ図に示す構造の遊技盤１は、遊技機製造会社において、図外の遊技部品が取り付けられた形態で、遊技機製造会社から遊技店に販売される。図外の遊技部品が遊技盤１に取り付けられる場合、遊技部品が化粧シート３の前面に接触し、図外の木ねじなどの固着具が遊技部品の取付孔から化粧シート３やアクリル粘着材４を貫通して遊技基盤２に固定される。遊技部品は、ガイドレール、入賞部品、装飾部品、球誘導構造体、遊技釘などである。
【００１０】
遊技店から使用済遊技盤を回収して資源として再利用する場合について説明する。使用済遊技盤として遊技店から回収された遊技盤１から遊技部品が取り外される。この遊技部品の取り外された遊技盤１は、遊技基盤２と化粧シート３とがアクリル粘着材４で結合された構造であって、遊技部品の取り除かれた残渣孔を有する。
【００１１】
図１のｂ図を参照し、遊技店から使用済遊技盤として回収されかつ遊技部品の取り除かれた遊技盤１から化粧シート３を除去する場合について説明する。化粧シート３に遊技基盤２から離れる方向の反りを発生させるために、遊技盤１に熱処理７を行う。熱処理７としては、０℃以下の冷却処理または６０℃以上の加熱処理である。熱処理７の結果、アクリル粘着材４の遊技基盤２に対する接着力が低下し、ポリオレフィン合成樹脂からなる表面パネル５の隅部が遊技基盤２から離れる方向の反りを生じ、化粧シート３の隅部およびアクリル粘着材４の隅部が一緒になって遊技基盤２から離れる。よって、例えば、遊技基盤２から離れた化粧シート３の隅部およびアクリル粘着材４の隅部が遊技基盤２に対し矢印Ｘ１に示す方向に人または機械で引っ張られることによって、化粧シート３およびアクリル粘着材４が遊技基盤２から適切に剥れるという利点がある。
【００１２】
図２を参照し、熱処理装置について説明する。熱処理装置としては、ベルトコンベヤまたはローラコンベヤなどの搬送機構８と冷却処理用の冷却機構９とを備え、処理対象物の遊技盤１が搬送機構８におけるベルトまたはローラなどの搬送体１０の上に載せられる。この場合、例えば、遊技基盤２が搬送体１０に接触し、化粧シート３が上に向けられた形態となる。そして、搬送機構８の搬送体１０が矢印Ｘ２で示す一方向に遊技盤１を搬送するように駆動するのに伴い、搬送体１０に搭載された遊技盤１が冷却機構９の０℃以下の冷却雰囲気に構成された内部を通過させられる。
【００１３】
遊技盤１が冷却機構９の内部を通過する過程において、図２に点線で示すように化粧シート３の隅部およびアクリル粘着材４の隅部が遊技基盤２から剥がれて上に反り返る。よって、搬送体１０に搭載された遊技盤１が冷却機構９から出た後、化粧シート３およびアクリル粘着材４が遊技基盤２から離れた化粧シート３の隅部およびアクリル粘着材４の隅部を取り掛かりとして人または機械で遊技基盤２より上方に剥がされれば、木質だけの遊技基盤２を得ることができるという利点がある。冷却機構９を用いれば、処理対象物の遊技盤１からの気体の発生がないという利点がある。
【００１４】
図２において、冷却機構９を加熱機構に置き換えてもよい。また、搬送機構８が遊技盤１を搬送する一方向に冷却機構９および加熱機構を縦列に配置し、夏季は冷却機構９または加熱機構を運転し、冬季は加熱機構または冷却機構９を運転してもよい。この場合、夏季に冷却機構９を運転し、冬季は加熱機構を運転すれば、作業者に対する熱環境がよい。夏季に加熱機構を運転し、冬季は冷却機構９を運転すれば、熱効率がよい。また、加熱機構を用いる場合、加熱機構に処理対象物の遊技盤１から発生する気体を捕集して脱臭や無害化のための処理を行うガス処理機構を付加してもよい。
【産業上の利用可能性】
【００１５】
図３は、発明を実施するための異なる形態に係る遊技盤１の構造を示す。図３において、化粧シート３が表面パネル５の後面に印刷された化粧層６の後面に転着紙１１を水溶性エマルジョンタイプの接着剤１２で結合した構造である点で、図１と異なる。転着紙１１は、白色のケント紙などにより構成される。よって、転着紙１１の裏面が遊技基盤２にアクリル粘着材４で結合することによって、遊技盤１では化粧シート３を遊技基盤２にアクリル粘着材４で結合した構造となる。この異なる形態に係る遊技盤１にも、図１のｂ図における熱処理７を行うことによって、化粧シート３およびアクリル粘着材４が遊技基盤２から適切に剥れるという利点がある。
【図面の簡単な説明】
【００１６】
【図１】ａ図は遊技盤の構造図、ｂ図は遊技盤から化粧シートを除去する工程図（最良の形態）。
【図２】遊技盤から化粧シートを剥がす熱処理装置の模式図（最良の形態）。
【図３】遊技盤遊技盤の構造図（異なる形態）。
【図４】遊技盤の構造図（従来）。
【符号の説明】
【００１７】
１は遊技盤、２は遊技基盤、３は化粧シート、４はアクリル粘着材、５は表面パネル、６は化粧層、７は熱処理、８は搬送機構、９は冷却機構、１０は搬送体、１１は転着紙、１２は接着剤、１３は接着剤、１４は表面パネル。
【図１】
2008212515.tif 000003
【図２】
2008212515.tif 000004
【図３】
2008212515.tif 000005
【図４】
2008212515.tif 000006